(57)【要約】      （修正有）【課題】通気性が損なわれないように工夫すると共に、サイズ調整してもポケットの位置を常に好適な位置に変更することができるようにした安全ベストを提供する。【解決手段】ベスト本体の前身頃と後身頃の前面に、大略Ｖ状パターンで取付けられる帯状の反射材Ｒｅには、その全面に通気用の小孔ｈの多数を略均等に設けたものを使用して、ベスト本体のメッシュ地等の通気性素材の通気性が損なわれないようにしている。ポケットは、左右側にマチを有するポケット本体と、該本体の上部開口の後壁に連続して形成した蓋体と、ポケット本体の背面四隅に横向きで本体からはみ出すように設けたテープ状の４つの係止部材とから成る。【選択図】図３
0003196967.tif 000002
【実用新案登録請求の範囲】
【請求項１】
メッシュ地等の通気性素材で形成されたベスト本体であって該ベスト本体の少なくとも前，後身頃に帯状の反射材を設けた安全ベストにおいて、前記反射材の略全面に多数の小孔を通気孔として設けた帯状反射材（以下、通気性反射材ともいう）を設けたことを特徴とする安全ベスト。
【請求項２】
通気性の帯状反射材は、ベスト本体のメッシュ地等の通気性素材に直に取付けるか、又は、反射材より幅広でその反射材とは異なる色調の通気性のある生地による台布を介して設けた請求項１に記載の安全ベスト。
【請求項３】
前記ベスト本体の左右前身頃の反射材の左右側縁に形成されたテープ状縁部の胸部から肩部にかかる部位に、当該左右の縁部と同程度の幅を有する反射テープ又は蛍光色テープによる帯状の支持部材を前記縁部の上面に配し、該支持部材を適宜間隔によって前記部位の縁部に止着することにより、前記胸部から肩部にかけての左右の縁部の上面に、上下方向で左右に並んだ複数段の挿適部をポケット取付部として形成した請求項２に記載の安全ベスト。
【考案の詳細な説明】
【技術分野】
【０００１】
本考案は、道路上での各種の作業や交通整理などを行う際に着用して、ドライバーや通行人にそれらの作業者の存在を喚起させる安全ベストに関する。
【背景技術】
【０００２】
昼間、夜間を問わず道路上での様々な作業においては、交通事故に遭わないため、作業者の身体の前面や背面にドライバー等の注意を喚起させることが出来る発色部を備えた安全ベストが着用されている。
【０００３】
一般に安全ベストでは、昼夜を問わず着用者を目立たせるという目的を達成するために、ベスト本体に発色の強い生地を用いること、並びに当該ベストの前後身頃や胴部に帯状の反射テープを取付けることにより、前記目的を達成している。
【０００４】
ところで安全ベストは、ベストと称されていても、着用者を目立たせるための着衣であるため、特に夏季用のベストは、前後身頃に取付けられる反射テープの支持体として機能する形態であれば足りること、並びに、良好な通気性を確保するためにメッシュ地で形成されていることなど、工夫されたものがある。
また、反射テープの支持体として機能できれば足りる観点から簡素な形態にデザインされた安全ベストもあるが、業務用のベストとして良好な着衣性を得るために着用者の身体のサイズに合わせて着用サイズの調節を可能にしたものがある。
【０００５】
しかし、着用サイズを例えば前身頃と後身頃の境界である肩口の長さを変更して調節できるようにした安全ベストでは、例えばトランシーバー等の業務必携品の収納部としてポケットがベストの胸部辺りに位置固定に設けられていると、前記のサイズ調節によってポケット位置が不適切な位置に変ってしまうことがある。
【０００６】
また、ベスト本体の前，後身頃に取付けられる反射テープは、ベスト本体が、通気性確保のために、折角メッシュ地で形成されているにも拘わらず、そのメッシュ（網目）を上面から覆ってしまうように取付けられているため、ベスト本体の通気性を損なってしまうという問題もある。
【先行技術文献】
【特許文献】
【０００７】
【特許文献１】特開２００８−３０３４７８号公報
【特許文献２】特開２０１４−４７４２６号公報
【特許文献３】特許第３８０８０６２号公報
【考案の概要】
【考案が解決しようとする課題】
【０００８】
そこで本考案は、上記のメッシュ地等の通気性素材でベスト本体が形成され、該ベスト本体の前，後身頃等に反射テープを取付けてサイズ調節可能に形成された安全ベストを提供することを主な課題とする。
【課題を解決するための手段】
【０００９】
上記課題を解決することを目的としてなされた本考案安全ベストの構成は、メッシュ地等の通気性素材で形成されたベスト本体であって該ベスト本体の少なくとも前，後身頃に帯状の反射材を設けた安全ベストにおいて、前記反射材の略全面に多数の小孔を通気孔として設けた帯状反射材（以下、通気性反射材ともいう）を設けたことを特徴とするものである。
【００１０】
本考案において、上記の通気性の帯状反射材は、ベスト本体のメッシュ地等の通気性素材に直に取付けてもよいが、前記帯状反射材よりも幅広でその反射材とは異なる色調、例えば補色系や反対色系の色調の通気性のある生地による台布を介して設けることが望ましい。台布には、一例として蛍光色のトリコット地を用いることができる。
【００１１】
台布を介在させて通気性の帯状反射材をメッシュ地等の通気性素材に取付けると、該帯状反射材の両側に、前記台布による異なる色調の細幅テープ状の縁部が形成されるから、このテープ状の縁部に挟まれた帯状反射材は、一層際立って人の目に入りやすくなる。
なお、通気性の帯状反射材を直にベスト本体のメッシュ地等の通気性素材に取付ける場合には、前記反射材の両側に、蛍光色等の発色性の高いテープ生地を縁状に設けると、台布を介在させた前記例の場合と、外観上、或は、視覚上で実質状差異のない反射材の取付形態を実現できる。また前記縁部の断面を筒状に形成しその中にＬＥＤ等の光源を設けることがある。前記光源の電源には通常電池や太陽電池等をベスト本体の適宜部位に設ける。
【００１２】
本考案安全ベストでは、トランシーバー等の業務必携品やその他の物品を収容するための胸ポケットを位置可変に設けたものとすることができる。
前記ポケットを位置可変に設けるため、本考案では以下の構成例を採っている。
【００１３】
すなわち前記ベスト本体の左右前身頃の反射材の左右側縁に形成されたテープ状縁部の胸部から肩部にかかる部位に、当該左右の縁部と同程度の幅を有する反射テープ又は蛍光色テープによる帯状の支持部材を、左右の縁部の上面に配置し、該帯状の支持部材を、適宜間隔（例えば４０〜５０ｍｍピッチ）で閂止め等によって前記部位の縁部に止着することにより、前記胸部から肩部にかけての左右の縁部の上面に、上下方向で左右に並んだ複数段の挿適部をポケット取付部として形成するのである。
【００１４】
一方、トランシーバー等の収容部として独立して形成されたポケットは、その背面の左右に、前記複数段の左右の挿適部群の中から選択する挿適部に通すテープ状の係止部状を設ける構成を採ることより、前記ポケットを、その係止部材を前記挿適部の高さを選択して任意の位置に取付けて、当該ポケットの取付位置をベスト本体のサイズ調節に合わせて変更できるようにした。
【考案の効果】
【００１５】
本考案安全ベストは、反射テープに通気性を付与したもの用いるからメッシュ製のベスト本体に該反射テープを取付けてもベスト本体の通気性を損なうことがない。また、ベスト本体のサイズを調節して身頃の上下方向の高さが変化しても、ポケットの高さ方向での取付位置を変更できるから、常に適切な位置にポケットを設けた安全ベストとして着用することができる。
【図面の簡単な説明】
【００１６】
【図１】本考案安全ベストの一例の背面側を省略した正面図。
【図２】図１の安全ベストの背面図。
【図３】図１の安全ベストのＸ部の拡大図。
【図４】図１のＡ−Ａ矢視断面拡大図。
【図５】図１の安全ベストに装着するポケットの一例の正面図。
【図６】図５のポケットの背面図。
【図７】図５のポケットの右側面図。
【図８】図５のＣ−Ｃ矢視断面図。
【図９】本考案安全ベストの前身頃の他の例の平断面図。
【図１０】本考案安全ベストの前身頃の別例の平断面図。
【考案を実施するための形態】
【００１７】
次に本考案安全ベストの実施の形態例について、図を参照しつつ説明する。
図１〜図４において、１は適宜のメッシュ地等の通気性素材で形成された安全ベストのベスト本体で、該本体１の前面は大略Ｖ状の前身頃Ｐｆと、該Ｖ状の底部に水平に結合した前面側の半胴部Ｗｆによってベスト本体の前面側１Ｆに形成され、ベスト本体の背面側１Ｒが着用者の背面側を覆う縦長の倒立した略逆台形状の後身頃Ｐｒと前記胴部Ｗｆと対応する背面側の半胴部Ｗｒにより形成されている。
【００１８】
前記ベスト本体１は、前面例の身頃Ｐｆおよび半胴部Ｗｆと、背面側の身頃Ｐｒおよび半胴部Ｗｒとを、前，後身頃の左右の肩部Ｓ１，Ｓ２と前後半胴部Ｗｆ，Ｗｒの左右両脇部において、複数組を設けた雌雄関係で結合，分離するドットボタン（スナップボタンともいう）Ｂｆ，Ｂｒにより、二段階以上の範囲で着丈と胴回りの大きさを縮小，拡大できるように形成されている。ここで、縮小，拡大の手段としてドットボタンを用いているのは、例えば面ファスナの雌雄部材による結合，分離では、雄側部材が着衣の表面に引掛かってその着衣を傷めることに鑑み、この点を避けるためである。
【００１９】
本考案安全ベストは、上記の着丈と胴回りを着用者の体格に合わせて調節できる機能が付与されたメッシュ地等の通気性素材製の安全ベスト本体１に対して、以下に説明する工夫を施したものである。
【００２０】
すなわち、ベスト本体１の前身頃Ｐｆと後身頃Ｐｒの前面に、大略Ｖ状パターンで取付けられる帯状の反射材Ｒｅには、その全面に通気用の小孔ｈの多数を略均等に設けたものを使用して、ベスト本体１のメッシュ地等の通気性素材の通気性が損なわれないようにしている。
【００２１】
通気性を付与した反射材Ｒｅは、一例として図４に示す断面構造でベスト本体１に取付けられているので以下に説明する。
図４において、２はメッシュ地等の通気性素材、３は前記通気性素材２の切放し端がほつれないように、該通気性素材２の両側に施したパイピングテープ、４は通気性素材２に反射材Ｒｅを取付けるための通気性豊富なトリコット地による台布で、反射材Ｒｅの幅より広い幅で前記通気性素材２に縫着されている。この結果、反射材Ｒｅが縫着，接着等で取付けられた台布４は、その左右両側の縁部４ａが反射材Ｒｅよりはみ出た形で現れるから、台布４には、発色性が強く、かつ、反射材Ｒｅとは異なる色調（例えば、補色や反対色系の色）の蛍光色トリコット地などを用いるとよい。図４において、５は台布４の両側の縁部４ａの上に設けたテープ状の支持部材で、５０ｍｍピッチで閂止めされている。本考案では、前記縁部４ａを断面筒状に形成しその中に細い棒状のＬＥＤ等の光源を入れて夜間に該光源を発光させるようにすることもできる。このための電池等の電源は一例として前記胴部Ｗｆ、Ｗｒに設ける。
【００２２】
反射材Ｒｅの取付態様としては、図９や図１０に例示する態様での取付けもある。図９，図１０において、図４と同一部材，同一部位には同符号を用いる。図９は、図４において等ピッチで止着されたテープ状の支持部材５に反射テープ５１を用いた例である。図１０は、図４，図９における台布４を設けないで反射材Ｒｅと支持部材のテープ５２を、メッシュ地等の通気性素材２に直接取付けた例である。図１０の反射材Ｒｅには一例としてトリム型反射材を用いている。
【００２３】
本考案安全ベストにおいては、図５〜図８に例示した、工事現場等において必携のトランシーバー等を収容するポケット６を、ベスト本体１が着丈を調節してそのベスト本体１の胸から肩にかけての部分の高さに変化が生じても、常に適切な位置に取付けることができるようにしたので、以下にポケット６について図５〜図８により説明すると共に、その取付位置を変更するためのベスト本体１側の構造について、以下に説明する。
【００２４】
図１〜図４に示した安全ベストでは、前身頃Ｐｆの胸部から肩口にかけて、反射材Ｒｅを取付けた台布４の左右の縁部４ａの上に、一例としてグログランテープ等のテープ材によるポケット６の支持部材５が反射材Ｒｅを挟む形態で設けられている。
【００２５】
この左右の支持部材５は、一例として長さ方向（縦方向）に５０ｍｍのピッチで閂止めにより複数点を止着Ｌすることにより、２つの止着点Ｌの間に、テープ状や紐状のものが挿通できる複数の挿通部が上下方向に並んで形成されるから、後に説明するポケット６に設けた係止部材６３を、前記挿通部を選んで通して止めることにより、ポケット６の上下方向での位置を選択することができる。
【００２６】
図５〜図８に示したポケット６は、一例として左右側にマチ６ａを有するポケット本体６１と、該本体６１の上部開口の後壁に連続して形成した蓋体６２と、ポケット本体６１の背面四隅に横向きで本体６１からはみ出すように設けたテープ状の４つの係止部材６３とから成る。
【００２７】
ポケット本体６１と蓋体６２は、全体として、ベスト本体１と同様のメッシュ地等の通気性素材２で形成され、本体６１は、その前面に台布４を介在させてその上に反射材Ｒｅを取付けるか、又は通気性素材２にトリム型反射材Ｒｅ（図５の場合）を取付けて形成されている。一方、蓋体６２では、上半側を二重の透明シート体６２ａで形成すると共に下半側をメッシュ地等の通気性素材２で形成している。蓋体62における上半部の二重の透明シート体６２ａで形成した部分は、名札などのカード状物の収容部として使用される。前記本体１の前面上部と蓋体６２の下端部（図５では上端に位置している）とに、雌雄関係で結合，分離する、図の例では面ファスナの雌雄部材Ｆ１，Ｆ２が設けられている。
【００２８】
上記ポケット本体６１の背面四隅には、ベスト本体１の前身頃Ｐｆに設けたテープ状部材と同様の部材による係止部材６３が横向きで当該本体６１からはみ出して設けられている。係止部材６３は、その両端部に、ドットボタンの雌雄部材６４ａ，６４ｂを備え、両部材６４ａ，６４ｂを結合することにより、取付部材６３を環状に形成できるようになっている。
【００２９】
以上により、係止部材６３を開放したままベスト本体１に形成した支持部材５の所望の高さ位置の挿通部に通して前記ボタンの雌雄部材６４ａ，６４ｂを結合させて係止部材６３を環状に閉じることにより、ポケット６をベスト本体１の前身頃Ｐｆの所望の高さに位置付けることができる。
【００３０】
なお、上記雌雄部材６４ａ、６４ｂにはドットボタンを用いたが、面ファスナの雌雄部材で代替できる。またポケット本体６１に背面に設ける４つの係止部材６３は、ポケット背面の上下に長めの係止部材６３を２つ設け、この材６３を支持部材５の挿通部に通して環状に閉じる形態で設けてもよい。
【００３１】
本考案安全ベストは以上の通りであるから、ベストの通気性を損なうことなくベスト本体の前後身頃に目立つ形態で反射材を設けることができ、またベストの大きさ、特に身丈を調整してもポケットの位置を適切な位置に設定することができるようにしたので、安全ベストとしてきわめて有用である。
【符号の説明】
【００３２】
１  ベスト本体
Ｐｆ  前身頃
Ｐｒ  後身頃
ｗｆ  前面側の半胴部
Ｗｒ  後面側の半胴部
Ｂｆ，Ｂｒ  ドットボタン
２  メッシュ地等の通気性素材
３  パイピングテープ
４  台布
５  テープ状支持部材
６  ポケット
６１  ポケット本体
６２  蓋体
６３  停止部材
６４ａ，６４ｂ  雌雄部材
【図１】
0003196967.tif 000003
【図２】
0003196967.tif 000004
【図３】
0003196967.tif 000005
【図４】
0003196967.tif 000006
【図５】
0003196967.tif 000007
【図６】
0003196967.tif 000008
【図７】
0003196967.tif 000009
【図８】
0003196967.tif 000010
【図９】
0003196967.tif 000011
【図１０】
0003196967.tif 000012